(57)【要約】【課題】所要の質量に対応した個数の重り片を背丈の低い吊り枠に積載することができるエレベーターのつり合おもりを得る。【解決手段】鋼材を組立てて吊り枠１４を構成し、鋼材の相互間に外面に開口した積載室２０を設ける。そして、方形の板状材からなる重り片２２の板面を鉛直に配置し、複数枚を互いに重合して積載室２０に積載する。これによって、重り片２２を積載室２０に搬入するために吊り枠１４に上下方向の余裕が不必要になり、吊り枠１４を低くすることができる。また、積載室２０の一部を主索の伸び調整、また釣合いロープ１３の伸び調整に使用することができる。したがって、吊り枠１４の背丈を所要数の重り片２２の自体の積載高さに対応した高さに低くでき、昇降路の全高が低くなって建築費を節減する。【選択図】　　　　図１
2004075312.tif 000002
【特許請求の範囲】
【請求項１】
鋼材が組立てられて構成され、上記鋼材の相互間に形成されて外面に開口した積載室が設けられた吊り枠と、方形の板状材からなり板面が鉛直に配置されて複数枚が互いに重合され上記積載室に積載された重り片とを備えたエレベーターのつり合おもり。
【請求項２】
積載室の縁部と上記積載室に積載された重り片とを締結する締結具を備えたことを特徴とする請求項１記載のエレベーターのつり合おもり。
【発明の詳細な説明】
【０００１】
【発明の属する技術分野】
この発明は、主索に吊持された吊り枠に多数の重り片が積載されたエレベーターのつり合おもりに関する。
【０００２】
【従来の技術】
図６及び図７は、従来のエレベーターのつり合おもりを示す図で、図６は正面図、図７は図６の縦断側面図である。図において、１は鋼材が組立てられてなる吊り枠で、上枠２、下枠３、側枠４、側枠４の長手中間に設けられた上横枠５及び上横枠５の下側に設けられた下横枠６によって構成されている。７は吊り枠１に形成された積載室で、上枠２、側枠４、及び上横枠５に囲まれた空間によって形成されている。
【０００３】
８は重り片で、複数個が互いに重合して平積みされて積載室７に積載されている。９は上枠２に挿通されて係止されたエレベーター主索の引き止め具、１０は吊り枠１の図６における四隅にそれぞれ装着されたガイドシュー、１１は重り押さえ具で、側枠４に設けられて積載されて最上位置に配置された重り片８を押さえて上方向変位を阻止する。１２は切欠部で、側枠４に設けられて吊り枠１内側に開口し上枠２寄りに配置されている。１３は下横枠６に係止されて吊下された釣合いロープである。
【０００４】
従来のエレベーターのつり合おもりは上記のように構成され、重り片８の長手の一側が切欠部１２を介して図６に鎖線で示すように傾斜した状態で積載室７内に搬入され、次いで水平姿勢に配置される。そして、所要の質量に対応した個数の重り片８が積載室７に平積み状態に積載される。
【０００５】
【発明が解決しようとする課題】
上記のような従来のエレベーターのつり合おもりでは、重り片８が傾斜した姿勢で積載室７に搬入されるため、吊り枠１に積載された重り片８と上枠２下面との間に、搬入のためのスペースを考慮する必要がある。また、上枠２に係止された引き止め具９は主索の伸びを調整するために、下端がさらに下降するので最上位置の重り片８との間に伸び調整余裕のスペースが必要になる。
【０００６】
また、釣合いロープ１３においても伸びを調整するために、下横枠６と上横枠５の間に伸び調整余裕のスペースが必要になる。これらの要因によって所要の質量に対応した個数の重り片８を積載するための重り片８の自体の積み重ね高さに対して吊り枠１の背丈が増す。このため、つり合おもりの通常時の最上昇位置に対するエレベーターの昇降路の上端位置が上昇するので、昇降路の全高が増し建築費が嵩むという問題点があった。
【０００７】
この発明は、かかる問題点を解消するためになされたものであり、所要の質量に対応した個数の重り片を背丈の低い吊り枠に積載することができるエレベーターのつり合おもりを得ることを目的とする。
【０００８】
【課題を解決するための手段】
この発明に係るエレベーターのつり合おもりにおいては、鋼材が組立てられて構成され、鋼材の相互間に形成されて外面に開口した積載室が設けられた吊り枠と、方形の板状材からなり板面が鉛直に配置され複数枚が互いに重合されて積載室に積載された重り片とが設けられる。
【０００９】
また、この発明に係るエレベーターのつり合おもりにおいては、積載室の縁部と積載室に積載された重り片とを締結する締結具が設けられる。
【００１０】
【発明の実施の形態】
実施の形態１．
図１〜図３は、この発明の実施の形態の一例を示す図で、図１は正面図、図２は図１の縦断側面図、図３は図２の要部拡大図である。図において、１４は鋼材が組立てられてなる吊り枠で、側枠１５並びにそれぞれ横断面が逆Ｕ字形をなす上枠１６、下枠１７、側枠１５の長手中間に設けられた上横枠１８及び上横枠１８の下側に設けられた下横枠１９によって構成されている。
【００１１】
２０は積載室で、両側の側枠１５に囲まれて、上枠１６と上横枠１８の間、上横枠１８と下横枠１９の間及び下横枠１９と下枠１７の間にそれぞれ形成されて吊り枠１４の外面に開口し、例えば上横枠１８の上面によって下面が形成され、また上枠１６の下端によって上縁部が構成されると共に、上枠１６の逆Ｕ字形部によって上縁部よりも上方に引退した凹所２１が構成されている。
【００１２】
２２は重り片で、方形の板状材からなり板面が鉛直に配置され複数枚が互いに重合されて、それぞれの積載室２０に積載されている。そして、それぞれの重り片２２は吊り枠１４の外面から上端部が積載室２０の凹所２１に挿入され、次いで下端部が積載室２０の下面に送り込まれて積載室２０に積載される。２３は上側ボルトで、上横枠１８等の一方の逆Ｕ字側壁の外側から挿入されて重合された重り片２２の上縁部及び他方の逆Ｕ字側壁に挿通されている。２４は上側ボルト２３の挿通端にねじ込まれたナットである。
【００１３】
２５は上側ボルト２３にねじ込まれて、上側ボルト２３の頭部寄りの逆Ｕ字側壁と重合された重り片２２との間に配置されたナット、２６は上側ボルト２３に嵌合されて、重合された重り片２２とナット２５との間に配置された押さえ板、２７は重合された重り片２２の下縁部に挿通された下側ボルト、２８は下側ボルト２７の挿通端にねじ込まれたナットである。
【００１４】
２９は吊り枠１４の積載室２０の縁部と重合された重り片２２とを締結する締結具で、上側ボルト２３、ナット２４、ナット２５、押さえ板２６、下側ボルト２７及びナット２８によって構成されている。９は上枠２に挿通されて係止されたエレベーター主索の引き止め具、１０は吊り枠１の図１における四隅にそれぞれ装着されたガイドシュー、１３は下横枠１９に係止されて吊下された釣合いロープである。
【００１５】
上記のように構成されたエレベーターのつり合おもりにおいて、吊り枠１４の両側の側枠１５と、水平に配置された上枠１６、上横枠１８等の横枠の間に複数の積載室２０が形成される。そして、それぞれの積載室２０に板状材からなり板面が鉛直に配置され複数枚が互いに重合された重り片２２が積載される。そして、締結具２９によって積載室２０の縁部、すなわち吊り枠１４に締結される。
【００１６】
このようにして所要の質量に対応した個数の重り片２２が積載室２０に積載される。そして、重り片２２を積載室２０に搬入するための吊り枠１４における上下方向の余裕空所を設ける必要がなく、吊り枠１４の背丈を低くすることができる。また、積載室２０の一部を、上枠１６に係止された引き止め具９の主索の伸び調整、また下横枠１９に係止されて吊下された釣合いロープ１３の伸び調整のための余裕のスペースに当てることができる。
【００１７】
したがって、吊り枠１４の背丈を所要の質量に対応した個数の重り片２２を積載するための、重り片２２の自体の積載高さに対応した高さに設定することができる。このため、吊り枠１４の背丈が低くなりつり合おもりの通常時の最上昇位置に対するエレベーターの昇降路の上端位置を下方に設定することができ、昇降路の全高が低くなって建築費を節減することができる。
【００１８】
また、側枠１５に前述の切欠部１２を設ける必要がなく、吊り枠１４の所要の強度を容易に得ることができる。また、前述の重り押さえ具１１が不要になるので、部品数が減少し製造費を低減することができる。さらに、吊り枠１４の図１おける左右に積載された重り片２２の個数を適宜に加減して吊り枠１４の左右バランスを調整することができる。これにより、つり合おもりの走行中にアンバランスに起因して発生する騒音を少なくすることができる。
【００１９】
実施の形態２．
図４及び図５は、この発明の他の実施の形態の一例を示す図で、図４は正面図、図５は図４の縦断側面図である。図において、前述の図６及び図７と、図１〜図３と同符号は相当部分を示す。
図４及び図５の実施の形態は、前述の図６及び図７の構造の一部を、前述の図１〜図３の構造に置き換えたものである。したがって、詳細な説明を省略するが図４及び図５の実施の形態においても図１〜図３の実施の形態に準じた作用を得ることができる。
【００２０】
【発明の効果】
この発明は以上説明したように、鋼材が組立てられて構成され、鋼材の相互間に形成されて外面に開口した積載室が設けられた吊り枠と、方形の板状材からなり板面が鉛直に配置され複数枚が互いに重合されて積載室に積載された重り片とを設けたものである。
【００２１】
これによって、所要の質量に対応した個数の重り片が積載室に積載される。そして、重り片を積載室に搬入するための吊り枠における上下方向の余裕空所を設ける必要がなく、吊り枠の背丈を低くすることができる。また、積載室の一部を、上枠に係止された引き止め具の主索の伸び調整、また下横枠に係止されて吊下された釣合いロープの伸び調整のための余裕のスペースに当てることができる。したがって、吊り枠の背丈を所要の質量に対応した個数の重り片を積載するための、重り片の自体の積載高さに対応した高さに設定することができる。このため、吊り枠の背丈が低くなりつり合おもりの通常時の最上昇位置に対するエレベーターの昇降路の上端位置を下方に設定することができ、昇降路の全高が低くなって建築費を節減する効果がある。
【００２２】
また、この発明は以上説明したように、積載室の縁部と積載室に積載された重り片とを締結する締結具を設けたものである。
【００２３】
これによって、所要の質量に対応した個数の重り片が積載室に積載されて、重り片が積載室の縁部に締結される。そして、重り片を積載室に搬入するための吊り枠における上下方向の余裕空所を設ける必要がなく、吊り枠の背丈を低くすることができる。また、積載室の一部を、上枠に係止された引き止め具の主索の伸び調整、また下横枠に係止されて吊下された釣合いロープの伸び調整のための余裕のスペースに当てることができる。したがって、吊り枠の背丈を所要の質量に対応した個数の重り片を積載するための、重り片の自体の積載高さに対応した高さに設定することができる。このため、吊り枠の背丈が低くなりつり合おもりの通常時の最上昇位置に対するエレベーターの昇降路の上端位置を下方に設定することができ、昇降路の全高が低くなって建築費を節減する効果がある。
【図面の簡単な説明】
【図１】この発明の実施の形態１を示す正面図。
【図２】図１の縦断側面図。
【図３】図２の要部拡大図。
【図４】この発明の実施の形態２を示す正面図。
【図５】図４の縦断側面図。
【図６】従来のエレベーターのつり合おもりを示す正面図。
【図７】図６の縦断側面図。
【符号の説明】
１４　吊り枠、　　２０　積載室、　　２２　重り片、　　２９　締結具。
【図１】
2004075312.tif 000003
【図２】
2004075312.tif 000004
【図３】
2004075312.tif 000005
【図４】
2004075312.tif 000006
【図５】
2004075312.tif 000007
【図６】
2004075312.tif 000008
【図７】
2004075312.tif 000009